(57)【要約】  複数のスライド式の蓋（７）を備えたカバーを冷蔵商品貯蔵ユニット（１）の貯蔵コンパートメント（２）に取り付ける方法を開示し、その方法は、各々が１つ以上のスライド式の蓋（７）を備える２つ以上のカバーカセット（６）を提供するステップと、２つ以上のカバーカセット（６）を貯蔵コンパートメント（２）の上部に取り付けるステップと、を含む。さらに、そのような方法を使用してカバーが取り付けられている冷蔵商品貯蔵ユニット（１）を開示する。【選択図】図１
2021524336.tif 000002
【特許請求の範囲】
【請求項１】
食品などの陳列および販売のための冷蔵商品貯蔵ユニット（１）の貯蔵コンパートメント（２）に、複数のスライド式の蓋（７）を備えたカバーを取り付ける方法であって、前記貯蔵コンパートメント（２）が、実質的に長方形の上部開口部を有し、
前記方法は、
−２つ以上のカバーカセット（６）を設けるステップであって、各々のカバーカセットが、１つ以上のスライド式の蓋（７）、前記カバーカセット（６）の２つの反対側に沿ってそれぞれ配置された２つのクロスプロファイル（１０）、および前記カバーカセットの２つの反対側の端部に沿ってそれぞれ垂直に配置された２つのベースプロファイル（１１）を含み、各クロスプロファイル（１０）または各ベースプロファイル（１１）が、１つ以上の細長く略Ｕ字形のトラック（１４，１５）であり、それらのトラックの各々が、前記スライド式の蓋（７）が前記トラック（１４，１５）の長手方向に沿ってスライドできるように、前記スライド式の蓋（７）の縁部を受容するように配置されている、設けるステップと、
−各カバーカセット（６）の２つの反対側の端部がそれぞれ前記貯蔵コンパートメント（２）の上向きの２つの端部に載るように、かつ前記２つ以上のカバーカセット（６）が一緒に前記冷蔵商品貯蔵ユニット（１）のカバーを形成するように、前記貯蔵コンパートメント（２）の上部に前記２つ以上のカバーカセット（６）を取り付けるステップと、を含む、方法。
【請求項２】
前記２つ以上のカバーカセット（６）を前記貯蔵コンパートメント（２）の上部に取り付けるステップの前に、前記２つ以上のカバーカセット（６）が載る前記貯蔵コンパートメント（２）の２つの上向きの縁部の各々に沿って、前記２つ以上のカバーカセット（６）の前記ベースプロファイル（１１）と解放可能に係合することができるように配置されているスペーサプロファイル（５）を取り付けるステップを含む、請求項１に記載の方法。
【請求項３】
前記２つ以上のカバーカセット（６）を前記貯蔵コンパートメント（２）の上部に取り付けるステップの後に、前記２つ以上のカバーカセット（６）が載る前記貯蔵コンパートメント（２）の２つの上向きの縁部の各々に沿って、前記２つ以上のカバーカセット（６）の前記ベースプロファイル（１１）と、もしあれば前記スペーサプロファイル（５）とも解放可能に係合することができるように配置されているカバープロファイル（１３）を取り付けるステップを含む、請求項１または２に記載の方法。
【請求項４】
前記２つ以上のカバーカセット（６）の前記ベースプロファイル（１１）と前記スペーサプロファイル（５）および／または前記カバープロファイル（１３）との間の解放可能な係合が、カチッとして一緒になるアセンブリとして設計される、請求項２または３に記載の方法。
【請求項５】
前記２つ以上のカバーカセット（６）の前記ベースプロファイル（１１）が、前記貯蔵コンパートメント（２）の前記長辺（３）に載っている、請求項１〜４のいずれに記載の方法。
【請求項６】
各カバーカセット（６）の前記１つ以上のスライド式の蓋（７）が、前記貯蔵コンパートメント（２）の前記長手方向に垂直な方向にスライド可能であるように配置されている、請求項１〜５のいずれかに記載の方法。
【請求項７】
前記２つ以上のカバーカセット（６）の各々が、一方が他方の上で、その内部にアクセスできるようにするためにその中心に向かって、前記貯蔵コンパートメント（２）の前記長辺（３）からそれぞれ離れて、スライドするように配置された２つのスライド式の蓋（７）を備える、請求項６に記載の方法。
【請求項８】
前記クロスプロファイル（１０）が、一方が他方の上に配置された少なくとも２つの略Ｕ字形のトラック（１４、１５）を備える、請求項７に記載の方法。
【請求項９】
前記２つ以上のカバーカセット（６）の各々が、前記カバーカセット（６）の中央部分の前記２つのスライド式の蓋（７）の上に配置された固定蓋（８）をさらに備える、請求項７または８に記載の方法。
【請求項１０】
前記固定蓋（８）が、前記カバーカセット（６）の前記クロスプロファイル（１０）の上部に配置されている、請求項９に記載の方法。
【請求項１１】
カバーカセット（６）の前記１つ以上のスライド式の蓋（７）が、前記貯蔵コンパートメント（２）の前記長手方向に平行な方向にスライド可能であるように配置されている、請求項１〜５のいずれかに記載の方法。
【請求項１２】
前記２つ以上のカバーカセット（６）および前記クロスプロファイル（１０）が、前記貯蔵コンパートメント（２）の前記長手方向に垂直な方向に湾曲している、請求項１〜１１のいずれかに記載の方法。
【請求項１３】
前記２つ以上のカバーカセット（６）の一方向の寸法が、０．８メートルから、１．５メートル、特に０．９４メートルまたは１．２５メートルの範囲にある、請求項１〜１２のいずれかに記載の方法。
【請求項１４】
前記トラック（１４，１５）に前記蓋（７）を保持するために前記１つ以上のＵ字形トラック（１４，１５）および前記１つ以上の蓋（７）の近くに保持部構成が設けられ、前記保持部構成が、前記蓋（７）に固定されたラッチおよび前記トラック（１４，１５）に固定された突起を備え、前記ラッチおよび前記突起が、横方向の引き抜き力が前記トラック（１４，１５）から離れる方向に前記蓋（７）に加えられたときに、前記ラッチおよび前記突起が保持力を生み出す支台に押し込まれて前記蓋（７）および前記トラック（１４，１５）の分離が防止されるように、配置されており、前記突起または前記ラッチのいずれかが、前記蓋（７）の表面に向かって前記ラッチを曲げるか、またはそれが突き出ている前記トラック（１４，１５）の側面に向かって突起を曲げることによって、前記蓋（７）の縁部を前記トラック（１４，１５）に挿入できるように、弾力性のある柔軟な材料でできている、請求項１〜１３のいずれかに記載の方法。
【請求項１５】
カバーが請求項１〜１４のいずれかに記載の方法を使用して組み立てられ、取り付けられている、冷蔵商品貯蔵ユニット（１）。
【発明の詳細な説明】
【技術分野】
【０００１】
本発明は、スライド式の蓋を備えたカバーを、冷却されたコンパートメントへの開口部を作成するために蓋を好ましくは横方向または前後方向に移動できるように、冷蔵庫または長方形の上部開口部を備えた冷凍庫などの冷蔵商品貯蔵ユニットに取り付ける方法に関する。
【背景技術】
【０００２】
スーパーマーケットなどで食品を陳列するために使用される冷蔵品陳列および貯蔵ユニットは、典型的には、透明な蓋で覆われた上部開口部を有し、その蓋により、顧客は、選ぶ食料品を容易に見つけることができる。陳列された食品を顧客がアクセスできるようにするために、蓋をさまざまな方法で移動させ得る。
【０００３】
ドアのように蓋をずらすことによって、例えば、ヒンジを使用して蓋の片側を貯蔵ユニットに取り付けることによって、コンパートメントにアクセスできるように蓋を取り付けることが知られている。他の方法としては、１つ以上のスライド式蓋の使用を含むものがある。これらは、横または前後にずらして、隣接する蓋またはコンパートメントの固定カバーセクションの下または上にスライドさせることができる。
【０００４】
一般に、このような透明な蓋は典型的には、フレームに取り付けられ、フレームはスライド可能にトラックに取り付けられる。その例は、例えば、ＵＳ２００２／０１９０６１９およびＵＳ２００９／０２２４５４４に示されている。ただし、蓋は、トラックの表面にスライド可能に置かれているトラックに直接取り付けることもできる。１つ以上のトラックからの蓋のずれを防ぐために、トラックが形成されているレールを互いに向かって押すことができ、その結果、蓋の２つの反対側の端部がレールによって囲まれる。この場合、蓋の交換の前後にレールまたはその少なくとも一部を移動する必要がある。その一例がＷＯ９７／１９６２１に示されている。
【０００５】
取り付け時に蓋がトラック内に適切に保持されていないと、使用時に蓋がトラックから分離する危険性がある。蓋とトラックが切り離されると、蓋が貯蔵ユニット内に落ちる可能性があり、非常に都合が悪い。
【発明の概要】
【０００６】
本発明の目的は、スライド式の蓋を備えたカバーを冷蔵商品貯蔵ユニットに取り付ける方法を提供することであり、この方法は、最小限の労力しか必要としない単純な操作でカバーの簡単な取り付けおよび交換を可能にする。
【０００７】
さらに、本発明のさらなる目的は、蓋がトラック内にスライド可能に保持されるようにカバーを取り付ける方法を提供することであり、これにより、蓋がトラックから分離するリスクを排除する。
【０００８】
特定のカバーが、国際出願第ＷＯ２０１８／０６９００４Ａ１号に開示されており、これは、ラッチを備えた保持部構成と、トラック内の蓋を保持するために提供される突起とを含む。
【０００９】
本発明は、食品などの陳列および販売のための冷蔵商品貯蔵ユニットの貯蔵コンパートメントに、複数のスライド式の蓋を備えたカバーを取り付ける方法に関し、この貯蔵コンパートメントは、実質的に長方形の上部開口部を有し、その方法は、
−２つ以上のカバーカセットを設けるステップであって、各々のカバーカセットが、１つ以上のスライド式の蓋、カバーカセットの２つの反対側に沿ってそれぞれ配置された２つのクロスプロファイル、およびカバーカセットの２つの反対側の端部に沿ってそれぞれ垂直に配置された２つのベースプロファイルを含み、各クロスプロファイルまたは各ベースプロファイルが、１つ以上の細長く略Ｕ字形のトラックであり、それらのトラックの各々が、スライド式の蓋がトラックの長手方向に沿ってスライドできるように、スライド式の蓋の縁部を受容するように配置されている、設けるステップと、
−各カバーカセットの２つの反対側の端部が各々貯蔵コンパートメントの上向きの２つの端部に載るように、かつ２つ以上のカバーカセットが一緒に冷蔵商品貯蔵ユニットのカバーを形成するように、貯蔵コンパートメントの上部に２つ以上のカバーカセットを取り付けるステップと、を含む。
【００１０】
このような方法を使用してカバーを取り付けることは、とりわけ、工場で最適化された条件下で取り付ける前にカバーカセットを組み立てることができるため、有利である。これにより、効率または取り付け手順が大幅に向上し、貯蔵コンパートメントへのカバーの取り付けに関連するコストと時間の消費が削減される。
【００１１】
本発明の一実施形態では、この方法は、２つ以上のカバーカセットを貯蔵コンパートメントの上部に取り付けるステップの前に、２つ以上のカバーカセットが載る貯蔵コンパートメントの２つの上向きの縁部の各々に沿って、２つ以上のカバーカセットのベースプロファイルと解放可能に係合することができるように配置されているスペーサプロファイルを取り付けるステップを含む。代替の実施形態では、カバーカセットのベースプロファイルは、貯蔵コンパートメントの上向きの縁部に直接固定（例え場、接着）されている。
【００１２】
このような構造により、カバーカセットを貯蔵コンパートメントに簡単かつ迅速に取り付けることができ、必要に応じて、２つ以上のカバーカセットを簡単かつ迅速に交換することができる。
【００１３】
本発明の一実施形態では、この方法は、２つ以上のカバーカセットを貯蔵コンパートメントの上部に取り付けるステップの後に、２つ以上のカバーカセットが載る貯蔵コンパートメントの２つの上向きの縁部の各々に沿って、２つ以上のカバーカセットのベースプロファイルと、もしあればスペーサプロファイルとも解放可能に係合することができるように配置されているカバープロファイルを取り付けるステップを含む。
【００１４】
カバープロファイルの使用は、カバーの取り付け後に冷蔵商品貯蔵ユニットの美的に満足のいくデザインを保証するための単純かつ簡単な方法である。
【００１５】
本発明の一実施形態では、２つ以上のカバーカセットのベースプロファイルとスペーサプロファイルおよび／またはカバープロファイルとの間の解放可能な係合は、カチッとして一緒になるアセンブリとして設計される。
【００１６】
本発明の一実施形態では、２つ以上のカバーカセットのベースプロファイルは、貯蔵コンパートメントの長辺に載っている。
【００１７】
本発明の一実施形態では、各カバーカセットの２つ以上のスライド式の蓋は、貯蔵コンパートメントの長手方向に垂直な方向にスライド可能であるように配置されている。
【００１８】
本発明の一実施形態では、２つ以上のカバーカセットの各々は、一方が他方の上で、その内部にアクセスできるようにするためにその中心に向かって、貯蔵コンパートメントの長辺からそれぞれ離れて、スライドするように配置された２つのスライド式の蓋を備える。
【００１９】
本発明の一実施形態では、２つ以上のカバーカセットの各々は、カバーカセットの中央部分の２つのスライド式の蓋の上に配置された固定蓋をさらに備える。
【００２０】
本発明の一実施形態では、固定蓋は、カバーカセットのクロスプロファイルの上部に配置される。
【００２１】
本発明の一実施形態では、カバーカセットの１つ以上のスライド式の蓋は、貯蔵コンパートメントの長手方向に平行な方向にスライドできるように配置されている。
【００２２】
本発明の一実施形態では、２つ以上のカバーカセットおよびそのクロスプロファイルは、貯蔵コンパートメントの長手方向に垂直な方向に湾曲している。
【００２３】
本発明の一実施形態では、２つ以上のカバーカセットの一方向の寸法は、０．９４メートルまたは１．２５メートルである。
【００２４】
これは、そのようなカバーカセットの２つ、３つ、または４つが一緒になって、たとえば２．５メートルまたは３．７５メートルの標準長さの冷蔵商品貯蔵ユニットの貯蔵コンパートメントの開口部に適合することを意味する。
【００２５】
トラックに蓋を保持するために上記１つ以上のＵ字形トラックおよび上記１つ以上の蓋の近くに保持部構成が設けられ、保持部構成は、蓋に固定されたラッチおよびトラックに固定された突起を備え、ラッチおよび突起は、横方向の引き抜き力がトラックから離れる方向に蓋に加えられたときに、ラッチおよび突起が保持力を生み出す支台に押し込まれてラッチおよび突起の分離が防止されるように、配置されており、突起またはラッチのいずれかは、蓋の表面に向かってラッチを曲げるか、またはそれが突き出ているトラックの側面に向かって突起を曲げることによって、蓋の縁部をトラックに挿入できるように、弾力性のある柔軟な材料でできている、という点で特に有利である。このような保持部構成は、国際特許出願第ＷＯ２０１８／０６９００４（Ａ１）号に開示されている。
【００２６】
本発明の一態様では、それは、前述の請求項のいずれかに記載の方法を使用してそのカバーが取り付けられている冷蔵商品貯蔵ユニットに関する。
【図面の簡単な説明】
【００２７】
以下に、本発明のいくつかの例示的な実施形態を、添付の図面の図を参照してより詳細に説明する。
【００２８】
【図１ａ】本発明の一実施形態による、複数のスライド式の蓋を備えたカバーを冷蔵商品貯蔵ユニットに取り付ける方法の第１のステップを示す。
【図１ｂ】同方法の第２ステップを示す。
【図１ｃ】同方法の第３ステップを示す。
【図１ｄ】同方法の第４のステップを示す。
【図１ｅ】同方法の第５のステップを示す。
【図１ｆ】同方法の第６のステップを示す。
【図１ｇ】図１ａ〜１ｆに示す６つのステップを実行することによって得られる冷蔵商品貯蔵ユニットを示す。
【図２】本発明の一実施形態による冷蔵商品貯蔵ユニットの２つの隣接するカバーカセットの２つのクロスプロファイルのアセンブリの断面図である。
【図３ａ】本発明の一実施形態によるスペーサプロファイルの断面図である。
【図３ｂ】本発明の一実施形態によるベースプロファイルの断面図である。
【図３ｃ】本発明の一実施形態によるカバープロファイルの断面図である。
【図３ｄ】本発明の一実施形態によるハンドレールアセンブリの断面図である。
【発明を実施するための形態】
【００２９】
図１ａ〜１ｆは、本発明の実施形態による、複数のスライド式の蓋７を備えたカバーを冷蔵商品貯蔵ユニット１に取り付けるための方法のいくつかのステップを示している。
【００３０】
図１ａには、スペーサプロファイル５が、冷蔵商品貯蔵ユニット１の貯蔵コンパートメント２の２つの長辺３の各々の上向きの縁部にどのように取り付けられているかが示されている。スペーサプロファイル５は、カバーカセット６（図１ａには示されていない）を固定するために２つ以上のカバーカセット６の端部に配置されたベースプロファイル１１（図１ａには示されていない）と係合できるように配置されており、貯蔵コンパートメント２に固定されている。図示の実施形態では、貯蔵コンパートメント２の２つの短辺４の上向きの縁部は湾曲している。他の実施形態では、それらは、２つの長辺３の各々の上向きの縁部のように、真っ直ぐで水平であり得る。
【００３１】
図１ｂは、第１のカバーカセット６がその一端で貯蔵コンパートメント２にどのように取り付けられるかを示している。図示の実施形態では、カバーカセット６は、その側面に沿った２つの湾曲したクロスプロファイル１０とその端部に沿った２つのベースプロファイル１１とを備えたフレーム内に２つのスライド式の蓋７および固定蓋８で組み立てられる。固定蓋８は、カバーカセット６の中央のクロスプロファイル１０の上部に配置され、一方、２つのスライド式の蓋７は、各クロスプロファイル１０の内側に沿ってそれぞれ配置された上部トラック１４および下部トラック１５内をスライドできるように配置されている。したがって、スライド式の蓋７上に配置された蓋ハンドル９を押すかまたは引くことによって、スライド式の蓋７は、貯蔵コンパートメント２の縁部から離れてまたは貯蔵コンパートメント２の縁部に向かってスライドして、他のスライド式の蓋７の下または上をかつ固定蓋８の下を移動することができる。このようにして、貯蔵コンパートメント２の内部へのアクセスが得られ、開口部を再び閉じることができる。他の実施形態では、カバーカセット６は、１つ以上のスライド式の蓋７と１つ以上の固定蓋８との他の組み合わせを備えることができる。
【００３２】
図１ｃおよび１ｄに示されるように、さらに２つのそのようなカバーカセット６を取り付けることによって、貯蔵コンパートメント２の開口部のための完全なカバーが、３つのカバーカセット６が互いに隣接することによって得られる。カバーカセット６の各々について、２つのベースプロファイル１１は、例えば、カチッとして一緒になるアセンブリを介して、貯蔵コンパートメント２の縁部に取り付けられたスペーサプロファイル５と係合する。
【００３３】
図１ｅは、スペーサプロファイル５およびベースプロファイル１１を覆うために、貯蔵コンパートメント２の各長辺３に沿ってカバープロファイル１３をどのように取り付けて、貯蔵コンパートメント２の縁部に沿ってハンドレールを形成し得るかを示している。カバープロファイル１３は、例えば、カチッとして一緒になるアセンブリによって、スペーサプロファイル５および／またはベースプロファイル１１に係合し得る。
【００３４】
最後に、図１ｆは、３つのカバーカセット６からなる堅いカバーを得るために、ギャッププロファイル１２を取り付けて、２つの隣接するカバーカセット６の隣接するクロスプロファイル１０間のギャップをどのように封止し得るかを示している。これらのギャッププロファイル１２は、例えば、両面粘着テープ１６を使用して取り付け得る（図２を参照）。
【００３５】
図１ｇは、図１ａ〜１ｆに示されるステップを実行することによって得られる冷蔵商品貯蔵ユニット１を示している。
【００３６】
図２は、上記のように組み立てられた本発明の実施形態による、冷蔵商品貯蔵ユニット１の２つの隣接するカバーカセット６の２つの断面図１０のアセンブリの断面図である。２つのクロスプロファイルの各々は、２つの長手方向の略Ｕ字形のトラック１４、１５を備え、スライド式の蓋７がトラック１４、１５の長手方向に沿ってスライドできて、スライド式の蓋７の反対側の縁部が、カバーカセット６（この図には示されていない）の他方側にあるクロスプロファイル１０の対応するトラック１４、１５によって受容されるような方法で、トラックが各々スライド式の蓋７の縁部を受容するように配置されている。図２はさらに、２つのクロスプロファイル１０間のギャップが、例えば、両面粘着テープ１６によって２つのクロスプロファイル１０に固定され得るギャッププロファイル１２によってどのように封止され得るかを示している。
【００３７】
図３ａは、本発明の実施形態による、ベースプロファイル１１と係合するためのいくつかのインターフェース特徴１８を備えるスペーサプロファイル５の断面図である（図３ｄ参照）。さらに、図示の実施形態では、スペーサプロファイル５は、貯蔵コンパートメント２（この図には示されていない）の長辺３に沿って側壁の厚さを変えるために切断できるトリミング可能な壁１７を備えている。このトリミング可能な壁１７を適切に切断することにより、貯蔵コンパートメント２に対するベースプロファイル１１（この図には示されていない）の正しい位置が決定される。図３ａはまた、スペーサプロファイル５が、一端に、例えば、ヒータケーブル（図示せず）のためのチャネル１９と、他端に、例えば、貯蔵コンパートメント２（図示せず）の壁セクションの位置合わせのためのピン（図示せず）のためのチャネル２０とをどのように備え得るかを示している。典型的には、スペーサプロファイル５は、貯蔵コンパートメント２の縁部に接着され（および、いくつかの小さなセルフタッピングネジで固定され得る、図示せず）、カバーカセット６を冷蔵商品貯蔵ユニット１の貯蔵コンパートメント２への即座の配置および取り付けを可能にする。
【００３８】
図３ｂは、本発明の実施形態による、スペーサプロファイル５と係合するためのいくつかのインターフェース特徴２１と、カバープロファイル１３と係合するためのいくつかのインターフェース特徴２４とを備えるベースプロファイル１１の断面図である（図３ｄを参照）。さらに、図示の実施形態では、ベースプロファイル１１は、バンパーシーリング２５（図３ｄを参照）のための２つのトラック２２と、例えばピンおよびネジ（図示せず）のための２つのチャネル２３とを備える。
【００３９】
図３ｃは、本発明の実施形態による、ベースプロファイル１１と係合するための２つのインターフェース特徴２６と、スペーサプロファイル５と係合するための単一のインターフェース特徴２４とを備えるカバープロファイル１３の断面図である（図３ｄを参照）。
【００４０】
図３ｄは、本発明の実施形態による、そのために設計されたインターフェース特徴１８、２１、２４、２６、２７を使用してカチッとして一緒になるスペーサプロファイル５と、１つ以上のベースプロファイル１１と、カバープロファイル１３とを備えるハンドレールアセンブリの断面図である。ベースプロファイル（複数可）１１は、いくつかの小さなセルフタッピングネジ（図示せず）を用いてスペーサプロファイル５にさらに固定し得る。２つのバンパーシーリング２５が、ベースプロファイル７にぶつかるまでスライド式の蓋７がベースプロファイル７に向かって引っ張られて閉じられるときに、ベースプロファイル１１への衝撃を和らげるために、ベースプロファイル１１に沿って配置されている。
【符号の説明】
【００４１】
１．冷蔵商品貯蔵ユニット
２．貯蔵コンパートメント
３．貯蔵コンパートメントの長辺
４．貯蔵コンパートメントの短辺
５．スペーサプロファイル
６．カバーカセット
７．スライド式の蓋
８．固定蓋
９．蓋ハンドル
１０．クロスプロファイル
１１．ベースプロファイル
１２．ギャッププロファイル
１３．カバープロファイル
１４．上部トラック
１５．下部トラック
１６．接着テープ
１７．トリミング可能な壁
１８．ベースプロファイルのインターフェース特徴
１９．ケーブルを加熱するためのチャネル
２０．ピンのチャネル
２１．スペーサプロファイルのインターフェース特徴
２２．バンパーシーリングのトラック
２３．ピンとネジのためのチャネル
２４．カバープロファイルのインターフェース
２５．バンパーシーリング
２６．ベースプロファイルのインターフェース特徴
２７．スペーサプロファイルのインターフェース特徴
【図１ａ】
2021524336.tif 000003
【図１ｂ】
2021524336.tif 000004
【図１ｃ】
2021524336.tif 000005
【図１ｄ】
2021524336.tif 000006
【図１ｅ】
2021524336.tif 000007
【図１ｆ】
2021524336.tif 000008
【図１ｇ】
2021524336.tif 000009
【図２】
2021524336.tif 000010
【図３ａ】
2021524336.tif 000011
【図３ｂ】
2021524336.tif 000012
【図３ｃ】
2021524336.tif 000013
【図３ｄ】
2021524336.tif 000014
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
食品などの陳列および販売のための冷蔵商品貯蔵ユニット（１）の貯蔵コンパートメント（２）に、複数のスライド式の蓋（７）を備えたカバーを取り付ける方法であって、前記貯蔵コンパートメント（２）が、実質的に長方形の上部開口部を有し、
前記方法は、
−２つ以上のカバーカセット（６）を設けるステップであって、各々のカバーカセットが、１つ以上のスライド式の蓋（７）、前記カバーカセット（６）の２つの反対側に沿ってそれぞれ配置された２つのクロスプロファイル（１０）、および前記カバーカセットの２つの反対側の端部に沿ってそれぞれ垂直に配置された２つのベースプロファイル（１１）を含み、各クロスプロファイル（１０）または各ベースプロファイル（１１）が、１つ以上の細長く略Ｕ字形のトラック（１４，１５）であり、それらのトラックの各々が、前記スライド式の蓋（７）が前記トラック（１４，１５）の長手方向に沿ってスライドできるように、前記スライド式の蓋（７）の縁部を受容するように配置されている、設けるステップと、
−各カバーカセット（６）の２つの反対側の端部がそれぞれ前記貯蔵コンパートメント（２）の上向きの２つの端部に載るように、かつ前記２つ以上のカバーカセット（６）が一緒に前記冷蔵商品貯蔵ユニット（１）のカバーを形成するように、前記貯蔵コンパートメント（２）の上部に前記２つ以上のカバーカセット（６）を取り付けるステップと、を含み、
前記２つ以上のカバーカセット（６）が載る前記貯蔵コンパートメント（２）の２つの上向きの縁部の各々に沿って、前記２つ以上のカバーカセット（６）の前記ベースプロファイル（１１）を解放可能に係合することができるように配置されているカバープロファイル（１３）を取り付けるステップをさらに含む、方法。
【請求項２】
前記２つ以上のカバーカセット（６）を前記貯蔵コンパートメント（２）の上部に取り付けるステップの前に、前記２つ以上のカバーカセット（６）が載る前記貯蔵コンパートメント（２）の２つの上向きの縁部の各々に沿って、前記２つ以上のカバーカセット（６）の前記ベースプロファイル（１１）と解放可能に係合することができるように配置されているスペーサプロファイル（５）を取り付けるステップを含む、請求項１に記載の方法。
【請求項３】
前記スペーサプロファイル（５）と解放可能に係合することができるように配置されているカバープロファイル（１３）を取り付けるステップを含む、請求項２に記載の方法。
【請求項４】
前記２つ以上のカバーカセット（６）の前記ベースプロファイル（１１）と前記スペーサプロファイル（５）および／または前記カバープロファイル（１３）との間の解放可能な係合が、カチッとして一緒になるアセンブリとして設計される、請求項２または３に記載の方法。
【請求項５】
前記２つ以上のカバーカセット（６）の前記ベースプロファイル（１１）が、前記貯蔵コンパートメント（２）の前記長辺（３）に載っている、請求項１〜４のいずれかに記載の方法。
【請求項６】
隣接する２つのカバーカセット（６）の２つのクロスプロファイル（１０）の間にギャッププロファイル（１２）を取り付けて、クロスプロファイル（１０）の間のギャップをシールするステップを含む、請求項１〜５のいずれかに記載の方法。
【請求項７】
各カバーカセット（６）の前記１つ以上のスライド式の蓋（７）が、前記貯蔵コンパートメント（２）の前記長手方向に垂直な方向にスライド可能であるように配置されている、請求項１〜６のいずれかに記載の方法。
【請求項８】
前記２つ以上のカバーカセット（６）の各々が、一方が他方の上で、その内部にアクセスできるようにするためにその中心に向かって、前記貯蔵コンパートメント（２）の前記長辺（３）からそれぞれ離れて、スライドするように配置された２つのスライド式の蓋（７）を備える、請求項７に記載の方法。
【請求項９】
前記クロスプロファイル（１０）が、一方が他方の上に配置された少なくとも２つの略Ｕ字形のトラック（１４、１５）を備える、請求項８に記載の方法。
【請求項１０】
前記２つ以上のカバーカセット（６）の各々が、前記カバーカセット（６）の中央部分の前記２つのスライド式の蓋（７）の上に配置された固定蓋（８）をさらに備える、請求項８または９に記載の方法。
【請求項１１】
前記固定蓋（８）が、前記カバーカセット（６）の前記クロスプロファイル（１０）の上部に配置されている、請求項１０に記載の方法。
【請求項１２】
カバーカセット（６）の前記１つ以上のスライド式の蓋（７）が、前記貯蔵コンパートメント（２）の前記長手方向に平行な方向にスライド可能であるように配置されている、請求項１〜５のいずれかに記載の方法。
【請求項１３】
前記２つ以上のカバーカセット（６）および前記クロスプロファイル（１０）が、前記貯蔵コンパートメント（２）の前記長手方向に垂直な方向に湾曲している、請求項１〜１２のいずれかに記載の方法。
【請求項１４】
前記２つ以上のカバーカセット（６）の一方向の寸法が、０．８メートルから、１．５メートル、特に０．９４メートルまたは１．２５メートルの範囲にある、請求項１〜１３のいずれかに記載の方法。
【請求項１５】
前記トラック（１４，１５）に前記蓋（７）を保持するために前記１つ以上のＵ字形トラック（１４，１５）および前記１つ以上の蓋（７）の近くに保持部構成が設けられ、前記保持部構成が、前記蓋（７）に固定されたラッチおよび前記トラック（１４，１５）に固定された突起を備え、前記ラッチおよび前記突起が、横方向の引き抜き力が前記トラック（１４，１５）から離れる方向に前記蓋（７）に加えられたときに、前記ラッチおよび前記突起が保持力を生み出す支台に押し込まれて前記蓋（７）および前記トラック（１４，１５）の分離が防止されるように、配置されており、前記突起または前記ラッチのいずれかが、前記蓋（７）の表面に向かって前記ラッチを曲げるか、またはそれが突き出ている前記トラック（１４，１５）の側面に向かって突起を曲げることによって、前記蓋（７）の縁部を前記トラック（１４，１５）に挿入できるように、弾力性のある柔軟な材料でできている、請求項１〜１４のいずれかに記載の方法。
【請求項１６】
請求項１〜１５のいずれかに記載の方法で組み立てられ、取り付けられたカバーを備えた食品などの陳列および販売のための冷蔵商品貯蔵ユニット（１）であって、
前記冷蔵商品保管ユニット（１）の前記貯蔵コンパートメント（２）の２つの前記長辺（３）のそれぞれの上向きの端部に取り付けられたスペーサプロファイル（５）をさらに含み、
前記スペーサプロファイル（５）は、前記ベースプロファイル（１１）と係合するように配置され、前記カバープロファイル（１３）は、前記スペーサプロファイル（５）および前記ベースプロファイル（１１）を覆うように、前記貯蔵コンパートメント（２）の前記長辺（３）の各々に沿って取り付けられ、それにより、前記貯蔵コンパートメント（２）の端部に沿って手すりを形成した、
冷蔵商品貯蔵ユニット（１）。
【国際調査報告】
2021524336.tif 000015
2021524336.tif 000016
2021524336.tif 000017